(57)【要約】      （修正有）【課題】織物アッパー、防撥水構造及び通気防水膜を有する防水通気性アッパーを提供する。【解決手段】織物アッパー１１０は第一の面１１１及び第一の面とは反対側の第二の面１１２を有する。防撥水構造１２０は織物アッパーの第一の面に形成されている。通気防水膜１３０は織物アッパーの第二の面に形成されている。【選択図】図２
2020065937.tif 000002
【特許請求の範囲】
【請求項１】
第一の面及び該第一の面とは反対側の第二の面を有する織物アッパーと、
前記織物アッパーの前記第一の面に形成されている防撥水構造と、
前記織物アッパーの前記第二の面に形成されている通気防水膜と、を含む防水通気性アッパー。
【請求項２】
前記織物アッパーは、編成アッパー又は織成アッパーを含む請求項１に記載の防水通気性アッパー。
【請求項３】
前記防撥水構造は、化学的コーティングにより形成されている請求項１または２に記載の防水通気性アッパー。
【請求項４】
前記通気防水膜の材質は、熱可塑性エラストマーを含む請求項１から３のいずれか一項に記載の防水通気性アッパー。
【請求項５】
前記防撥水構造は、前記防水通気性アッパーの外層に面し、前記通気防水膜は、前記防水通気性アッパーの内層に面する請求項１から４のいずれか一項に記載の防水通気性アッパー。
【請求項６】
散布又は表面塗布により、前記防撥水構造で前記織物アッパーの前記第一の面を被覆する請求項１から５のいずれか一項に記載の防水通気性アッパー。
【請求項７】
熱加圧により、前記通気防水膜を前記織物アッパーの前記第二の面に粘着させる請求項１から６のいずれか一項に記載の防水通気性アッパー。
【発明の詳細な説明】
【技術分野】
【０００１】
本発明はアッパーに関し、具体的には、本発明は、防水通気性アッパーに関する。
【背景技術】
【０００２】
人々が普段履く靴のデザインは、造形を美しくする他に、更に靴の履き心地、通気性及び防水性といった部分に対して改良の為の研究がなされている。
【０００３】
現在、市場に出回っている靴の種類は多く、例えば、カジュアルシューズ、運動靴、長靴短靴などがあり、そのうち、アッパーに布地又は織物が採用される靴は、足部から発散される汗や湿気を効果的に外へ排出することができるが、外部の水分の浸入を防止することができない。しかしながら、アッパーに皮革を採用した靴は、外部の水分の浸入を効果的に防止することができるが、足部から発散される汗や湿気を効果的に排出することができない。
【０００４】
そのため、防水性及び通気性の機能を同時に有する靴は必要である。
【発明の概要】
【０００５】
本発明は、防水性及び通気性の機能を兼ね備えることができる防水通気性アッパーを提供する。
【０００６】
本発明は、織物アッパー、防撥水構造及び通気防水膜を有する防水通気性アッパーを提供する。織物アッパーは、第一の面及び第一の面とは反対側の第二の面を有する。防撥水構造は、織物アッパーの第一の面に形成されている。通気防水膜は、織物アッパーの第二の面に形成されている。
【０００７】
一実施例において、前記織物アッパーは、編成アッパー又は織成アッパーを含む。
【０００８】
一実施例において、前記防撥水構造は、化学的コーティングにより形成されている。
【０００９】
一実施例において、前記通気防水膜の材質は、熱可塑性エラストマー（TPE）を含む。
【００１０】
一実施例において、前記防撥水構造は、前記防水通気性アッパーの外層に面し、前記通気防水膜は、前記防水通気性アッパーの内層に面する。
【００１１】
一実施例において、散布又は表面塗布により、前記防撥水構造で前記織物アッパーの前記織物アッパーの前記第一の面を被覆する。
【００１２】
一実施例において、熱加圧により、前記通気防水膜を前記織物アッパーの前記第二の面に粘着させる。
【００１３】
前記防水通気性アッパーは、防水性及び通気性の機能を兼ね備えることができる。
【図面の簡単な説明】
【００１４】
【図１】図１は本発明の好ましい実施例の防水通気性アッパーの側面図である。
【図２】図２は図１の断面模式図である。
【発明を実施するための形態】
【００１５】
図１及び図２を参照し、図１は本発明の好ましい実施例の防水通気性アッパーの側面図であり、図２は図１の断面模式図である。本発明の防水通気性アッパー１００は、各種類の靴、例えばカジュアルシューズ、スニーカー、球技用スポーツシューズ、長靴短靴などに応用することができる。
【００１６】
図２に示すように、防水通気性アッパー１００は、織物アッパー１１０、防撥水構造１２０及び通気防水膜１３０を有する。織物アッパー１１０は、第一の面１１１及び第一の面１１１とは反対側の第二の面１１２を有する。本実施例において、第一の面１１１は、防水通気性アッパー１００の外層１０２に面し、第二の面１１２は、防水通気性アッパー１００の内層１０４に面する。一実施例において、織物アッパー１１０は、編成アッパー又は織成アッパーであることが好ましいが、これらに限定されるものではない。
【００１７】
防撥水構造１２０は、防撥水機能を有する化学的コーティングにより形成され、防撥水構造１２０の形成方法は、散布又は表面塗布により防撥水構造１２０を織物アッパー１１０の第一の面１１１に形成し、又は防撥水構造１２０で織物アッパー１１０の第一の面１１１を被覆することを含むが、これに限定されるものではない。
【００１８】
通気防水膜１３０は、織物アッパー１１０の第二の面１１２に形成され、通気防水膜１３０の形成方法は、熱加圧により通気防水膜１３０を織物アッパー１１０の第二の面１１２に形成又は粘着させることを含むが、これに限定されるものではない。本実施例において、通気防水膜１３０の材質は、熱可塑性エラストマー（Thermoplastic Elastomer、TPE）であることが好ましい。
【００１９】
図２に示すように、本発明の防水通気性アッパー１００の外層１０２に防撥水構造１２０が設けられるため、その表面張力を大きくすることができ、更に外部の水分子を通過させずに空気を通過させることができ、これにより、防撥水性及び通気性の機能を効果的に達成する。一方、水量が多く水分子が防撥水構造１２０を通過して織物アッパー１１０に達する可能性がある場合でも、本発明の防水通気性アッパー１００の内層１０４に更に通気防水膜１３０が設けられるため、水分子を効果的に通気防水膜１３０の外へと排除し、水分子が靴内に浸入することを回避することができる。
【００２０】
上記の内容をまとめると、本発明の防水通気性アッパーによれば、外部の水分子を効果的に防撥水構造外へと排除するとともに空気を通過させることができ、水量が多い場合でも、水分子を通気防水膜外に排除して水分子が靴内に入ることを回避することができ、更に防撥水性及び通気性の機能を達成できる。
【００２１】
本発明は、既に前記関連の実施例により説明を行ったが、前記実施例は本発明を実施する為の範例に過ぎない。注意すべきことは、既に開示されている実施例は本発明の範囲を制限するものではないということである。逆に、特許請求の範囲に含まれる精神及び範囲に対する補正及び均等な設置は、いずれも本発明の範囲内に含まれる。
【符号の説明】
【００２２】
１００ : 防水通気性アッパー
１０２ : 外層
１０４ : 内層
１１０ : 織物アッパー
１１１ : 第一の面
１１２ : 第二の面
１２０ : 防撥水構造
１３０ : 通気防水膜
【図１】
2020065937.tif 000003
【図２】
2020065937.tif 000004